(57)【要約】  【課題】  運転中に計測する各種の情報に基づいて放出すべき薬剤の量を制御し、どのような使用環境下においても適切な量の薬剤を放出することができる空気調和機を提供する。  【解決手段】  空気調和機３のＣＰＵ３０は、室内温度センサ１３が検出した室内温度が予め設定された目標温度に対して所定範囲内となるまでの間は、所定時間における室内温度の温度変化に基づいて薬剤の放出量を決定する。また、ＣＰＵ３０は、室内温度が目標温度に対して所定範囲内となった後は、室内温度と室外温度センサ３６が検出した室外温度との差に基づいて薬剤の放出量を決定する。このように決定した薬剤の放出量に基づいて、ＣＰＵ３０は、ヒーター制御部３８によってヒーター１６ｄに適切な時間だけ電流を流し、これにより、ヒーター１６ｄを介して加熱された薬剤が蒸発して放出される。【選択図】      図３
2006125807.tif 000002
【特許請求の範囲】
【請求項１】
圧縮機を有する室外ユニットと、薬剤を放出する薬剤放出部を有する室内ユニットとを連結してある空気調和機において、
前記圧縮機の駆動力を検出する駆動力検出手段と、
室内の温度を検出する室内温度検出手段と、
室外の温度を検出する室外温度検出手段と、
前記駆動力検出手段が検出した駆動力、前記室内温度検出手段が検出した室内の温度、及び前記室外温度検出手段が検出した室外の温度に基づいて、前記薬剤放出部が放出すべき薬剤の放出量を算出する算出手段と、
該算出手段が算出した放出量の薬剤を放出するように前記薬剤放出部を制御する制御手段と
を備えることを特徴とする空気調和機。
【請求項２】
圧縮機を有する室外ユニットと、薬剤を放出する薬剤放出部を有する室内ユニットとを連結してある空気調和機において、
前記圧縮機の駆動力を検出する駆動力検出手段と、
室内の温度を検出する室内温度検出手段と、
該室内温度検出手段が検出した温度に基づいて、所定時間における室内の温度変化を算出する温度変化算出手段と、
前記駆動力検出手段が検出した駆動力、及び前記温度変化出手段が算出した温度変化に基づいて、前記薬剤放出部が放出すべき薬剤の放出量を算出する算出手段と、
該算出手段が算出した放出量の薬剤を放出するように前記薬剤放出部を制御する制御手段と
を備えることを特徴とする空気調和機。
【請求項３】
前記算出手段が算出した放出量を変化させる変化係数を受け付ける受付手段を備え、
前記制御手段は、前記算出手段が算出した放出量を前記受付手段が受け付けた変化係数に基づいて変化させた放出量の薬剤を放出するように前記薬剤放出部を制御する構成としてあることを特徴とする請求項１又は２に記載の空気調和機。
【請求項４】
前記制御手段は、前記圧縮機の動作状態にかかわらず、前記薬剤放出部を制御するように構成してあり、
前記制御手段の制御によって前記薬剤放出部が放出する薬剤の放出量を記憶する記憶手段を備え、
前記制御手段は、前記圧縮機が停止状態である場合、前記記憶手段が記憶している放出量に基づく量の薬剤を放出するように前記薬剤放出部を制御する構成としてあることを特徴とする請求項１乃至３のいずれかひとつに記載の空気調和機。
【請求項５】
前記制御手段は、自身の制御によって前記薬剤放出部が放出する薬剤の放出量に応じた時間、薬剤を放出するように前記薬剤放出部を制御する構成としてあることを特徴とする請求項１乃至４のいずれかひとつに記載の空気調和機。
【請求項６】
前記制御手段による前記薬剤放出部の制御開始から前記薬剤放出部が放出した薬剤の累積放出量を計測する放出量計測手段を備え、
前記制御手段は、前記放出量計測手段が計測した累積放出量に基づいて、前記薬剤放出部が放出する薬剤の放出量を経時的に変化させる構成としてあることを特徴とする請求項１乃至５のいずれかひとつに記載の空気調和機。
【発明の詳細な説明】
【技術分野】
【０００１】
本発明は、空気調和機に関するものであり、特に、芳香用薬剤又は消臭用薬剤等の薬剤を放出することが可能な空気調和機に関する。
【背景技術】
【０００２】
空気調和機は、室内の空気を冷却して吹き出す冷房機能と、室内の空気を加熱して吹き出す暖房機能とを有する。近年では、室内環境に対するユーザの関心が高まっており、例えば、消臭用薬剤を放出して室内の臭気を消失させる消臭機能、芳香用薬剤を放出して室内に香気を放つ芳香機能を備えた空気調和機が提案されている（例えば、特許文献１参照）。
【特許文献１】特開平１１−１３２４８８号公報
【発明の開示】
【発明が解決しようとする課題】
【０００３】
しかし、消臭用薬剤又は芳香用薬剤を必要以上に放出した場合、薬剤が無駄になるばかりでなく、芳香用薬剤を適正な濃度以上に放出した場合には室内のユーザが不快さを感じてしまう。そこで、消臭機能又は芳香機能を備えた空気調和機では、室内に放出する薬剤が適正な濃度となるように制御する必要がある。
【０００４】
一方、空気調和機は、例えば、部屋の広さ、換気装置の動作状態、間仕切りを開けて２部屋に亘っての使用等、様々な環境で利用される。従って、予め薬剤の放出量を設定しておいた場合、利用環境によって、適正な濃度に対して薬剤の放出量が不足する場合、又は過剰になる場合等が生じ、どのような利用環境においても常に適正な濃度となるように薬剤の放出量を制御することは非常に難しいという問題がある。
【０００５】
また、空気調和機が設置される部屋の空気中に放出された薬剤の濃度を測定する装置を空気調和機に搭載し、薬剤の濃度を常にモニタリングしながら薬剤の放出量を制御することによって、適切な濃度の薬剤を放出することができる空気調和機が考えられるが、構成が大掛かりとなると共に製造コストが増大するため現実的ではない。
【０００６】
本発明は斯かる事情に鑑みてなされたものであり、その目的とするところは、冷房運転又は暖房運転を行ないつつ計測する各種の情報に基づいて、薬剤の放出量を特定することにより、簡単な構成によって薬剤の放出量を制御することができ、ユーザのどのような使用環境においても最適な濃度となるように薬剤を放出することが可能な空気調和機を提供することにある。
【課題を解決するための手段】
【０００７】
本発明に係る空気調和機は、圧縮機を有する室外ユニットと、薬剤を放出する薬剤放出部を有する室内ユニットとを連結してある空気調和機において、前記圧縮機の駆動力を検出する駆動力検出手段と、室内の温度を検出する室内温度検出手段と、室外の温度を検出する室外温度検出手段と、前記駆動力検出手段が検出した駆動力、前記室内温度検出手段が検出した室内の温度、及び前記室外温度検出手段が検出した室外の温度に基づいて、前記薬剤放出部が放出すべき薬剤の放出量を算出する算出手段と、該算出手段が算出した放出量の薬剤を放出するように前記薬剤放出部を制御する制御手段とを備えることを特徴とする。
【０００８】
本発明によれば、圧縮機を有する室外ユニットと薬剤を放出する薬剤放出部を有する室内ユニットとを連結してある空気調和機が、前記圧縮機の駆動力、室内の温度、及び室外の温度をそれぞれ検出し、検出した駆動力、室内の温度、及び室外の温度に基づいて前記薬剤放出部が放出すべき薬剤の放出量を算出する。また、空気調和機は、算出した放出量の薬剤を放出するように薬剤放出部を制御する。よって、空気調和機が冷房運転又は暖房運転する場合に、前記駆動力が示す圧縮機の駆動状態、室内温度、及び室外温度に基づいて、薬剤の放出量を制御することが可能となる。
【０００９】
本発明に係る空気調和機は、圧縮機を有する室外ユニットと、薬剤を放出する薬剤放出部を有する室内ユニットとを連結してある空気調和機において、前記圧縮機の駆動力を検出する駆動力検出手段と、室内の温度を検出する室内温度検出手段と、該室内温度検出手段が検出した温度に基づいて、所定時間における室内の温度変化を算出する温度変化算出手段と、前記駆動力検出手段が検出した駆動力、及び前記温度変化出手段が算出した温度変化に基づいて、前記薬剤放出部が放出すべき薬剤の放出量を算出する算出手段と、該算出手段が算出した放出量の薬剤を放出するように前記薬剤放出部を制御する制御手段とを備えることを特徴とする。
【００１０】
本発明によれば、圧縮機を有する室外ユニットと薬剤を放出する薬剤放出部を有する室内ユニットとを連結してある空気調和機が、前記圧縮機の駆動力を検出すると共に、室内の温度を検出し、検出した温度に基づいて所定時間における室内の温度変化を算出する。また、空気調和機は、検出した駆動力、及び算出した温度変化に基づいて前記薬剤放出部が放出すべき薬剤の放出量を算出し、算出した放出量の薬剤を放出するように薬剤放出部を制御する。よって、空気調和機が冷房運転又は暖房運転する場合に、前記駆動力が示す圧縮機の駆動状態、及び所定時間における室内の温度変化、即ち室内温度の変化速度に基づいて、薬剤の放出量を制御することが可能となる。
【００１１】
本発明に係る空気調和機は、前記算出手段が算出した放出量を変化させる変化係数を受け付ける受付手段を備え、前記制御手段は、前記算出手段が算出した放出量を前記受付手段が受け付けた変化係数に基づいて変化させた放出量の薬剤を放出するように前記薬剤放出部を制御する構成としてあることを特徴とする。
【００１２】
本発明によれば、薬剤放出部に放出させるべく算出した放出量を変化させる変化係数を受け付けるように構成してあり、受け付けた変化係数に基づいて変化させた放出量の薬剤を放出するように薬剤放出部を制御することにより、外部から受け付けた変化係数に応じて薬剤の放出量を変化させることが可能となる。
【００１３】
本発明に係る空気調和機は、前記制御手段は、前記圧縮機の動作状態にかかわらず、前記薬剤放出部を制御するように構成してあり、前記制御手段の制御によって前記薬剤放出部が放出する薬剤の放出量を記憶する記憶手段を備え、前記制御手段は、前記圧縮機が停止状態である場合、前記記憶手段が記憶している放出量に基づく量の薬剤を放出するように前記薬剤放出部を制御する構成としてあることを特徴とする。
【００１４】
本発明によれば、薬剤放出部が放出する薬剤の放出量を記憶するように構成してあり、圧縮機が停止状態である場合、記憶してある放出量に基づく量の薬剤を放出するように薬剤放出部を制御することにより、例えば、冷房運転及び暖房運転を行なっていない場合であっても、記憶してある放出量に基づいて、薬剤を放出する際の放出量を特定することが可能となる。
【００１５】
本発明に係る空気調和機は、前記制御手段は、自身の制御によって前記薬剤放出部が放出する薬剤の放出量に応じた時間、薬剤を放出するように前記薬剤放出部を制御する構成としてあることを特徴とする。
【００１６】
本発明によれば、薬剤放出部が放出する薬剤の放出量に応じた時間、薬剤を放出するように薬剤放出部を制御することにより、薬剤放出部が放出する薬剤の放出量を薬剤の放出時間によって制御することが可能となる。
【００１７】
本発明に係る空気調和機は、前記制御手段による前記薬剤放出部の制御開始から前記薬剤放出部が放出した薬剤の累積放出量を計測する放出量計測手段を備え、前記制御手段は、前記放出量計測手段が計測した累積放出量に基づいて、前記薬剤放出部が放出する薬剤の放出量を経時的に変化させる構成としてあることを特徴とする。
【００１８】
本発明によれば、薬剤放出部による薬剤の放出開始からの累積放出量を計測するように構成してあり、計測した累積放出量に基づいて薬剤放出部が放出する薬剤の放出量を経時的に変化させることにより、累積放出量に応じた量の薬剤を放出させることが可能となる。
【発明の効果】
【００１９】
本発明では、空気調和機が冷房運転又は暖房運転する場合に、圧縮機の駆動力が示す前記圧縮機の駆動状態、室内温度及び室外温度に基づいて、芳香用薬剤又は消臭用薬剤等の薬剤の放出量を制御する。従って、室内空間が広くなればなるほど、また、室内空気の換気率が高くなればなるほど、室内の温度を目標温度にするために熱交換する必要がある熱量が多くなるので、室内の空気中の薬剤の濃度を適正にするために放出する放出量を多く制御することができる。
【００２０】
本発明では、空気調和機が冷房運転又は暖房運転する場合に、圧縮機の駆動力が示す前記圧縮機の駆動状態及び所定時間における室内の温度変化、即ち室内温度の変化速度に基づいて、芳香用薬剤又は消臭用薬剤等の薬剤の放出量を制御する。従って、室内の温度の変化速度は、室内空間が広くなればなるほど遅くなるので、室内の空気中の薬剤の濃度を適正にするために放出する放出量を多く制御することができる。
【００２１】
本発明では、薬剤放出部に放出させるべく算出した放出量を変化させる変化係数を受け付け、受け付けた変化係数に基づいて薬剤放出部が放出する薬剤の放出量を変化させる。具体的には、例えば、空気調和機が冷房運転又は暖房運転する場合に、圧縮機の駆動状態、室内温度及び室外温度に基づいて算出された薬剤の放出量、又は、圧縮機の駆動状態及び所定時間における室内の温度変化に基づいて算出された放出量に、外部から受け付けた変化係数を乗じた放出量の薬剤を放出するように薬剤放出部を制御する。これにより、空気調和機の動作に応じた各種の情報だけでなく、例えばユーザの好みに基づいた放出量の薬剤を放出させることができる。
【００２２】
本発明では、薬剤放出部が放出する薬剤の放出量を記憶しており、圧縮機が停止状態である場合、記憶してある放出量に基づく量の薬剤を放出するように薬剤放出部を制御する。これにより、例えば、冷房運転及び暖房運転を行なっていない場合であっても、記憶してある放出量に基づいて、薬剤を放出する際の薬剤の放出量を特定することができる。
【００２３】
本発明では、薬剤放出部が放出する薬剤の放出量に応じた時間、薬剤を放出するように薬剤放出部を制御する。よって、空気調和機の動作に応じた各種の情報に基づいた薬剤の放出量を、薬剤の放出時間によって制御することができる。
【００２４】
本発明では、薬剤放出部による薬剤の放出開始からの累積放出量を計測し、計測した累積放出量に基づいて薬剤放出部が放出する薬剤の放出量を経時的に変化させる。具体的には、例えば、空気調和機が冷房運転又は暖房運転する場合に、圧縮機の駆動状態、室内温度及び室外温度に基づいて算出された薬剤の放出量、又は、圧縮機の駆動状態及び所定時間における室内の温度変化に基づいて算出された放出量に、計測した累積放出量に応じた係数を乗じた放出量の薬剤を放出するように薬剤放出部を制御する。これにより、空気調和機の動作に応じた各種の情報だけでなく、薬剤の累積放出量に基づいた放出量の薬剤を放出させることができる。
【発明を実施するための最良の形態】
【００２５】
以下に、本発明をその実施形態を示す図面に基づいて詳述する。図１は本発明に係る空気調和機の室内ユニットを示しており、図１（ａ）に外観斜視図を、図１（ｂ）に縦断面図をそれぞれ示している。本実施形態に係る空気調和機３（図２参照）は、室内の暖房及び冷房をそれぞれ行なう暖房運転及び冷房運転を、ユーザによる設定に従って行ない、室内の温度を調節する空調動作を行なう。なお、空気調和機３は、これらの運転の他、室内を除湿する除湿運転、煙草の煙、空気中の埃等を除去する空気清浄運転、浮遊する細菌、ウィルス等を殺菌する殺菌運転、室内を加湿する加湿運転等を行なう構成であってもよく、室内／屋外の温度、湿度等に基づいて、各種運転を切り替える自動運転を行なう構成であってもよい。
【００２６】
本実施形態の空気調和機３は、空調すべき室内の壁面に取り付けられる室内ユニット１と、室外に設置される室外ユニット２（図２参照）と、室内ユニット１及び室外ユニットを連結する配管が通されたパイプＰ１，Ｐ２（図２参照）とを備えている。室内ユニット１は、室内の空気を吸い込むための空気吸込口１０ａ，１１ａが適宜箇所に形成してあるキャビネット１０及び正面パネル１１を備えており、キャビネット１０に正面パネル１１を取り付けることにより構成されている。
【００２７】
室内ユニット１の内部には、キャビネット１０及び正面パネル１１の空気吸込口１０ａ，１１ａから吸い込まれた室内の空気の温度を検出する室内温度センサ１３と、空気吸込口１０ａ，１１ａから吸い込まれた室内の空気を冷房運転時には冷却し、暖房運転時には加熱することによって空調する室内熱交換器１４ａ，１４ｂ，１４ｃと、空調済みの空気を送風した上で空気吹出口１２から吹き出す送風ファン１５とが設けられている。また、空気吹出口１２内には、風向板１２ａが配置されており、この風向板１２ａによって空気吹出口１２から室内へと吹き出される空気の吹出風向を上下方向に沿って調整することができる。
【００２８】
また、室内ユニット１のキャビネット１０には、空調された空気が送風ファン１５によって空気吹出口１２へ送風される空気の送風路に面した位置に、芳香用薬剤を放出するための放出口１６ａが設けられており、この放出口１６ａから芳香用薬剤を放出する薬剤放出装置（薬剤放出部）１６が配設されている。薬剤放出装置１６は、液体の芳香用薬剤を貯留するカセット式の薬剤ボトル１６ｂと、薬剤ボトル１６ｂから毛細管現象を利用して薬剤を吸い上げる軸芯１６ｃと、軸芯１６ｃの上方を取り囲んで配置され、軸芯１６ｃを加熱することにより薬剤を蒸発させるヒーター１６ｄとを具備している。
【００２９】
このような構成の薬剤放出装置１６において、図示しない電源装置によってヒーター１６ｄに通電することにより、軸芯１６ｃが吸い上げた薬剤を蒸発させることができ、蒸発した薬剤が放出口１６ａから放出され、冷却又は加熱された空気と混合されて空気吹出口１２から室内に放出される。なお、薬剤放出装置１６が放出する芳香用薬剤は、ヒノキチオール等の植物性の薬剤であることが好ましいが、植物性である必然性があるわけではない。また、薬剤ボトル１６ｂに貯留される薬剤は、芳香用の薬剤に限られず、消臭用の薬剤であってもよく、各種薬剤の原液を水、アルコール、油等で希釈したものであってもよいことは勿論である。
【００３０】
以下に、上述した構成の室内ユニット１を有する空気調和機３において冷房運転時及び暖房運転時の冷媒の循環回路について説明する。図２は冷媒循環回路の模式図であり、矢符Ａは冷房運転時の冷媒の循環方向を、矢符Ｂは暖房時の冷媒の循環方向をそれぞれ示している。なお、図２においては、室内ユニット１の室内熱交換器１４ａ，１４ｂ，１４ｃをまとめて室内熱交換器１４としてある。
【００３１】
本実施形態の空気調和機３の室外ユニット２は、圧縮機２０、四方弁２１、室外熱交換器２２、減圧弁２３等を備えており、圧縮機２０及び四方弁２１、四方弁２１及び室外熱交換器２２、室外熱交換器２２及び減圧弁２３はそれぞれ配管によって連結されている。また、室内ユニット１の室内熱交換器１４は、室外ユニット２の四方弁２１及び減圧弁２３とそれぞれ配管によって連結されており、これらの各配管内には冷媒が循環させてある。なお、図２では、室内熱交換器１４及び四方弁２１を連結する配管と、室内熱交換器１４及び減圧弁２３を連結する配管とをそれぞれ異なるパイプＰ１，Ｐ２内に通した構成を示しているが、１つのパイプＰに２つの配管を通した構成としてもよい。
【００３２】
上述した構成により、空気調和機３が冷房運転を行なう場合、矢符Ａに示すように、圧縮機２０によって配管内の冷媒が高圧に圧縮され、四方弁２１を介して室外熱交換器２２へ搬送される。冷媒は、室外熱交換器２２で室外空気へ放熱しながら凝縮し、減圧弁２３で減圧された後、パイプＰ１内の配管を通って室内ユニット１へ搬送される。また、冷媒は、室内熱交換器１４で室内空気から吸熱しながら蒸発し、パイプＰ２内の配管を通って室外ユニット２へ搬送され、四方弁２１を介して再び圧縮機２０で圧縮される。このような冷媒の循環によって、室内ユニット１内に設けられた送風ファン１５を回転させることにより、空気吹出口１２から室内へ冷風を吹き出すことができる。
【００３３】
一方、空気調和機３が暖房運転を行なう場合、矢符Ｂに示すように、圧縮機２０によって高圧に圧縮された配管内の冷媒は、四方弁２１を介してパイプＰ２内の配管を通って室外ユニット２へ搬送される。冷媒は、室内熱交換器１４で室内空気へ放熱しながら凝縮し、パイプＰ１内の配管を通って室外ユニット２へ搬送される。また、冷媒は、減圧弁２３で減圧された後、室外熱交換器２２で室外空気から吸熱しながら蒸発し、四方弁２１を介して再び圧縮機２０で圧縮される。このような冷媒の循環によって、室内ユニット２内に設けられた送風ファン１５を回転させることにより、空気吹出口１２から室内へ温風を吹き出すことができる。
【００３４】
以下に、本発明に係る空気調和機３の制御系の構成について説明する。図３は本発明に係る空気調和機３の制御系の構成例を示すブロック図である。空気調和機３は、ＣＰＵ３０、ＲＯＭ３１、ＲＡＭ３２、絶対時刻を刻時するタイマ３３、操作部３４、表示部３５、室内温度センサ１３、室外温度センサ３６、上述のような構成により室外の空気と室内の空気との間で熱交換を行なうことによって冷房運転又は暖房運転を行なう空調部３７、空調部３７の薬剤放出装置１６が備えるヒーター１６ｄへの通電を制御するヒーター制御部３８等を備えており、それぞれはバス３ａを介して相互に接続されている。
【００３５】
なお、このようなハードウェア各部は図示しない電源装置から供給される電力によって動作する。また、空調部３７は、図２を用いて説明したように、室内熱交換器１４、圧縮機２０、四方弁２１、室外熱交換器２２、減圧弁２３のほか、ＣＰＵ３０からの制御に従って圧縮機２０の駆動を制御する駆動制御部２０ａを備えている。
【００３６】
ＣＰＵ３０は、空気調和機３の主制御部であり、バス３ａを介して接続される上述したようなハードウェア各部を制御すると共に、ＲＯＭ３１に予め格納されている制御プログラムを適宜ＲＡＭ３２に読み出して実行する。なお、ＲＯＭ３１には、空気調和機３を本発明に係る空気調和機として動作させるために必要な種々の制御プログラムが予め格納されている。ＲＡＭ３２はＳＲＡＭ又はフラッシュメモリ等で構成されており、ＣＰＵ３０による制御プログラムの実行時に発生するデータ、例えばユーザによって予め設定された目標温度等を一時的に記憶する。
【００３７】
室内温度センサ（室内温度検出手段）１３は、図１（ｂ）に示すように、室内ユニット１の適宜箇所に配置され、キャビネット１０及び正面パネル１１の空気吸込口１０ａ，１１ａから吸い込まれた室内の空気の温度を検出する。室外温度センサ（室外温度検出手段）３６は、室外ユニット２の適宜箇所に配置され、室外の空気の温度を検出する。
【００３８】
操作部３４は、ユーザからの操作指示を受け付けるための各種の操作ボタンを備えており、冷房運転又は暖房運転の選択、目標温度の設定、風向の変更等の指示を受け付ける。表示部３５は、液晶ディスプレイを備えており、空気調和機３の運転状況、操作部３４を通じて設定された各種の設定値、ユーザに対して報知すべき情報等を表示する。なお、操作部３４は、空気調和機３の室内ユニット１に有線で接続される構成であってもよく、室内ユニット１に無線で信号の送受を行なうリモートコントローラであってもよい。
【００３９】
上述した構成の空気調和機３において、ＣＰＵ３０は、ヒーター制御部３８を制御することにより、薬剤放出装置１６から放出される薬剤の放出量を制御する制御手段として動作する。即ち、ＣＰＵ３０からの指示に従ってヒーター制御部３８がヒーター１６ｄに流す電流量及び通電時間を制御することにより、ヒーター１６ｄによって加熱されて蒸発する薬剤の量を制御することができる。
【００４０】
以下に、ヒーター制御部３８がヒーター１６ｄに流す電流量及び通電時間を制御することによって薬剤放出装置１６から放出される薬剤の放出量を決定する処理について説明する。なお、以下の処理によって薬剤の放出量が特定された場合、ＣＰＵ３０は、特定された放出量の薬剤を薬剤放出装置１６が放出するようにヒーター制御部３８を制御する。
【００４１】
空気調和機３が冷房運転又は暖房運転を行なっている場合において、室内の温度がユーザによって予め設定された目標温度に対して所定範囲内に近付いたときに、室内の温度を目標温度にするために空調部３７の室内熱交換器１４が熱交換する必要がある熱量は、室内の温度（Ｔin）と室外の温度（Ｔout ）との差に比例する。なお、室内熱交換器１４が熱交換する必要がある熱量が多くなればなるほど、駆動制御部２０ａが圧縮機２０を駆動させる駆動力が大きくなる。
【００４２】
また、室内の温度を目標温度にするために室内熱交換器１４が熱交換する必要がある熱量は、室内空間（部屋）が広くなればなるほど、また、室内空気の換気率が高くなればなるほど大きくなり、一方、室内の空気中の薬剤の濃度を適正にするために薬剤放出装置１６が放出する必要がある放出量は、室内空間が広くなればなるほど、また、室内空気の換気率が高くなればなるほど多くなる。
【００４３】
これらのことを利用して、ＣＰＵ３０は、室内温度センサ１３が検出した室内の温度（Ｔin）がユーザによって予め設定された目標温度に対して所定範囲内となった場合、駆動制御部２０ａによる圧縮機２０の駆動力を検出する駆動力検出手段として動作する。また、ＣＰＵ３０は、検出した駆動力によって駆動制御部２０ａが圧縮機２０を駆動させた場合に室内熱交換器１４が熱交換できる熱量（Ｑ）を算出する。なお、圧縮機２０の駆動力から室内熱交換器１４によって熱交換される熱量（Ｑ）を算出する方法としては、所定の計算式に基づく算出方法、駆動力と該駆動力に基づいて熱変換される熱量とを対応付けるテーブル（図示せず）を用いた算出方法等がある。
【００４４】
更に、ＣＰＵ３０は、算出した熱量（Ｑ）と、室内温度センサ１３が検出した室内の温度（Ｔin）と、室外温度センサ３６が検出した室外の温度（Ｔout ）とを用いて、以下の式（１）に基づいて薬剤の放出量（Ｙ）を決定する。
【００４５】
Ｙ  ＝  Ｋ１  ×  Ｑ  ÷  （Ｔin  −  Ｔout ）  …（１）
【００４６】
このように、ＣＰＵ３０は、熱量（Ｑ）、室内温度（Ｔin）及び室外温度（Ｔout ）に基づいて、薬剤放出装置１６が放出すべき薬剤の放出量（Ｙ）を算出する算出手段として動作し、算出した薬剤の放出量（Ｙ）に基づいて、ヒーター制御部３８を適切に制御することにより、ヒーター制御部３８によってヒーター１６ｄに適切な電流量が流され、適切な量の薬剤が薬剤放出装置１６から放出される。
【００４７】
ここで、Ｋ１は予め設定された係数である。なお、好ましいと感じる芳香用薬剤の濃度は、ユーザ個人によって異なるため、係数Ｋ１の値を適宜変更できるようにすることが望ましい。具体的には、例えばユーザが操作部（受付手段）３４を操作することにより、高めの濃度又は低めの濃度に設定できるように構成することができる。この構成によれば、ＣＰＵ３０は、ユーザによる操作部３４の操作に従って係数Ｋ１の値を大きい値に又は小さい値に変更することにより、薬剤放出装置１６から放出される薬剤の量を調整することができ、空気中の薬剤の濃度をユーザの好みに合せることができる。
【００４８】
ここで、上記の式（１）に基づく薬剤の放出量の特定処理は、上述したように室内の温度が目標温度に対して所定範囲内となった場合、即ち、空気調和機３が冷房運転又は暖房運転を開始してからある程度の時間が経過し、室内の温度が安定した場合において有効である。言い換えれば、空気調和機３が冷房運転又は暖房運転を開始した直後、即ち、室内の温度が安定していない場合においては、上述した薬剤の放出量の特定処理は有効ではない。
【００４９】
一方、空気調和機３が冷房運転又は暖房運転を開始した直後において、室内の温度の変化速度は、空調部３７の室内熱交換器１４が熱交換する冷却熱量又は加熱熱量に比例し、室内空間（部屋）が広くなればなるほど遅くなる。このことを利用して、ＣＰＵ３０は、冷房運転又は暖房運転を開始した直後に室内温度センサ１３が検出した室内の温度（Ｔin1 ）と、所定時間経過後に室内温度センサ１３が検出した室内の温度（Ｔin2 ）との差、即ち所定時間における室内の温度変化を算出する温度変化算出手段として動作する。
【００５０】
また、ＣＰＵ３０は、駆動制御部２０ａによる圧縮機２０の駆動力を検出し、検出した駆動力によって駆動制御部２０ａが圧縮機２０を駆動させた場合に室内熱交換器１４が熱交換できる熱量（Ｑ）を算出し、算出した熱量（Ｑ）と、所定時間における室内の温度変化（Ｔin2 −Ｔin1 ）とを用いて、以下の式（２）に基づいて薬剤の放出量（Ｙ）を算出する。
【００５１】
Ｙ  ＝  Ｋ１  ×  Ｋ２  ×  Ｑ  ÷  （Ｔin2 −Ｔin1 ）  …（２）
【００５２】
このように、ＣＰＵ３０は、熱量（Ｑ）及び所定時間における室内の温度変化（Ｔin2 −Ｔin1 ）に基づいて、薬剤放出装置１６が放出すべき薬剤の放出量（Ｙ）を算出する算出手段として動作し、算出した薬剤の放出量（Ｙ）に基づいて、ヒーター制御部３８を適切に制御することにより、ヒーター制御部３８によってヒーター１６ｄに適切な電流量が流され、適切な量の薬剤が薬剤放出装置１６から放出される。
【００５３】
ここで、Ｋ１は式（１）と同様に予め設定された係数であり、ユーザからの設定変更によって変更可能な係数である。また、Ｋ２は、式（１）を用いた薬剤の放出量の特定処理によって特定される放出量と同程度となるように予め設定された係数である。
【００５４】
図４は暖房運転時における室内の温度変化を示すグラフである。空気調和機３が暖房運転を開始した場合、図４に示すように、室内温度は予め設定された目標温度に到達するまで急激に上昇し、目標温度の近辺において安定する。従って、ＣＰＵ３０は、室内温度が目標温度に対して所定範囲内となるまでの間、上記式（２）を用いた第２の特定処理によって薬剤の放出量を特定し、室内温度が目標温度に対して所定範囲内となった後は、上記式（１）を用いた第１の特定処理によって薬剤の放出量を特定する。更に、ＣＰＵ３０は、特定した薬剤の放出量に基づいて、ヒーター制御部３８を適切に制御することにより、ヒーター制御部３８によってヒーター１６ｄに適切な電流量が流され、上述のように特定された量の薬剤が薬剤放出装置１６から放出される。
【００５５】
以下に、上述した構成の空気調和機３による芳香用薬剤の放出処理についてより具体的に説明する。図５は本発明に係る空気調和機３による芳香用薬剤の放出処理の手順を示すフローチャートである。なお、以下の処理は、ＲＯＭ３１に格納されているプログラムに従ってＣＰＵ３０が実行する。
【００５６】
図示しない運転ボタンをユーザが操作することにより冷房運転又は暖房運転を開始した空気調和機３において、ＣＰＵ３０は、室内温度センサ１３によって室内温度を検出し（Ｓ１）、検出した室内温度と、予め設定されてＲＡＭ３２に記憶してある目標温度との差が所定範囲内であるか否かを判断する（Ｓ２）。ＣＰＵ３０は、室内温度と目標温度との差が所定範囲内でないと判断した場合（Ｓ２：ＮＯ）、即ち、空気調和機３が冷房運転又は暖房運転を開始した直後である場合、所定時間待機する。具体的には、ＣＰＵ３０は、所定時間が経過したか否かを判断しており（Ｓ３）、経過していないと判断した場合（Ｓ３：ＮＯ）、所定時間が経過するまで待機する。
【００５７】
ＣＰＵ３０は、所定時間が経過したと判断した場合（Ｓ３：ＹＥＳ）、室内温度センサ１３によって室内温度を再度検出すると共に（Ｓ４）、駆動制御部２０ａによって制御される圧縮機２０の駆動力を検出する（Ｓ５）。次にＣＰＵ３０は、検出した圧縮機２０の駆動力から、該駆動力によって駆動制御部２０ａが圧縮機２０を駆動させた場合に室内熱交換器１４によって熱交換される熱量を算出し（Ｓ６）、算出した熱量と、空気調和機３が運転を開始した直後の室内温度及び所定時間経過後の室内温度とを用いて、前記式（２）に基づいて薬剤の放出量を算出する（Ｓ７）。
【００５８】
ＣＰＵ３０は、算出した薬剤の放出量に基づいてヒーター制御部３８を制御し（Ｓ８）、ヒーター制御部３８がヒーター１６ｄに適切な電流量を流すことによって適切な量の薬剤が薬剤放出装置１６から放出される。また、ＣＰＵ３０は、ユーザが操作部３４の停止ボタン（図示せず）を操作したか否かを判断しており（Ｓ９）、停止ボタンが操作されたと判断した場合（Ｓ９：ＹＥＳ）、処理を終了し、停止ボタンが操作されないと判断した場合（Ｓ９：ＮＯ）、ステップＳ１へ処理を戻す。
【００５９】
ステップＳ２において、室内温度と目標温度との差が所定範囲内であると判断した場合（Ｓ２：ＹＥＳ）、即ち、室内温度が目標温度の近辺で安定した場合、ＣＰＵ３０は、室外温度センサ３６によって室外温度を検出する（Ｓ１０）。次にＣＰＵ３０は、駆動制御部２０ａによって制御される圧縮機２０の駆動力を検出し（Ｓ１１）、検出した圧縮機２０の駆動力から、該駆動力によって駆動制御部２０ａが圧縮機２０を駆動させた場合に室内熱交換器１４によって熱交換される熱量を算出する（Ｓ１２）。
【００６０】
ＣＰＵ３０は、算出した熱量と、ステップＳ１で検出した室内温度と、ステップＳ１０で検出した室外温度とを用いて、前記式（１）に基づいて薬剤の放出量を算出する（Ｓ１３）。また、ＣＰＵ３０は、算出した薬剤の放出量に基づいてヒーター制御部３８を制御し（Ｓ１４）、ヒーター制御部３８がヒーター１６ｄに適切な電流量を流すことによって適切な量の薬剤が薬剤放出装置１６から放出される。ＣＰＵ３０は、ユーザが操作部３４の停止ボタンを操作したか否かを判断しており（Ｓ９）、停止ボタンが操作されたと判断した場合（Ｓ９：ＹＥＳ）、処理を終了し、停止ボタンが操作されないと判断した場合（Ｓ９：ＮＯ）、ステップＳ１へ処理を戻す。
【００６１】
上述したように、空気調和機３が冷房運転又は暖房運転を開始した直後と、冷房運転又は暖房運転の開始からある程度の時間が経過して室内温度が目標温度の近辺で安定した場合とにおいて、異なる方法によって薬剤の放出量を算出することにより、複雑な構成を必要とせず、それぞれの場合において圧縮機２０の動作状態に応じた放出量を算出することができる。また、ＣＰＵ３０が、算出した放出量に基づく時間、ヒーター制御部３８によってヒーター１６ｄに適切に通電することにより、室内の空気中に適正な濃度となるように薬剤を放出することができる。
【００６２】
また、上述した構成の空気調和機３を、冷房運転又は暖房運転を行なわない場合であっても芳香用薬剤の放出処理を行なえる構成とすることができる。この場合、ＣＰＵ３０が制御するヒーター制御部３８の制御量、即ちＣＰＵ３０がヒーター制御部３８を制御することによって薬剤放出装置１６から放出される薬剤の放出量をＲＡＭ（記憶手段）３２に記憶しておくことにより、次に薬剤放出装置１６によって薬剤を放出させる際に、ＲＡＭ３２に記憶された放出量に基づいて、ＣＰＵ３０がヒーター制御部３８を制御することができる。
【００６３】
上述した実施形態では、ＣＰＵ３０は、ヒーター制御部３８を介してヒーター１６ｄに流す電流量を制御する構成について説明したが、例えば、ヒーター１６ｄに流す電流量と共に、ヒーター１６ｄへの通電時間も制御する構成とすることもできる。例えば、ＣＰＵ３０が、上述したように式（１）又は式（２）を用いて薬剤の放出量を算出し、算出した放出量に応じた時間を特定する構成とした場合、薬剤放出装置１６が放出する薬剤の放出量及び放出時間を制御することができ、室内の空気中により適正な濃度の薬剤を送出することができる。
【００６４】
具体的には、上述した空気調和機３の薬剤放出装置１６が放出する芳香用薬剤が、一時的に嗅ぐことによってリラックス効果が生じる薬剤である場合には、空気調和機３を、例えばユーザによる操作部３４の操作に従って一時的に薬剤を放出する構成としてもよい。より具体的には、例えば、空気調和機３の操作部３４に香り発生ボタンを設け、ユーザが香り発生ボタンを操作した場合に、前述の式（１）又は式（２）を用いて特定された薬剤の放出量に応じた時間、例えば、特定された放出量に比例した時間だけ、特定された放出量の薬剤を放出するようにＣＰＵ３０がヒーター制御部３８を制御する。
【００６５】
図６はヒーター制御部３８によるヒーター１６ｄへの通電処理を示すタイムチャートである。図６に示すように、ユーザが香り発生ボタンを操作した場合、ＣＰＵ３０はヒーター制御部３８を介してヒーター１６ｄを通電させる。また、前述の式（１）又は式（２）を用いて特定された薬剤の放出量Ｙに応じた時間が経過した場合、ＣＰＵ３０はヒーター１６ｄへの通電を終了する。更に、ユーザが香り発生ボタンを再度操作した場合、ＣＰＵ３０は、その時点での薬剤の放出量Ｙに応じた時間だけ再びヒーター１６ｄへの通電を行なう。これにより、ユーザは、香り発生ボタンを操作した場合に一時的に放出される芳香用薬剤によってリラックスすることができる。
【００６６】
図７はヒーター制御部３８によるヒーター１６ｄへの通電処理の変形例を示すタイムチャートである。図７に示すように、所定時間中において、前述の式（１）又は式（２）を用いて特定された薬剤の放出量Ｙに応じた時間だけヒーター１６ｄを通電させる処理を繰り返すことにより、薬剤放出装置１６が放出する薬剤の空気中の濃度を一定に維持することができる。
【００６７】
上述した実施形態では、薬剤放出装置１６が放出する芳香用薬剤に液体の薬剤を用いており、これにより薬剤ボトル１６ｂ中の薬剤がなくなるまでヒーター１６ｄによる薬剤の蒸発速度は変化しないが、例えばシリカゲルのような多孔質体に液体の薬剤を保持させた場合には、図８に示すように、芳香用薬剤の累積放出量（累積放出時間）に伴ってヒーター１６ｄによる薬剤の蒸発速度（放出速度）が遅くなる。
【００６８】
従って、このような場合には、空気調和機３のＣＰＵ３０が、薬剤放出装置１６の薬剤を取り替えてから薬剤放出装置１６が薬剤を放出した累積放出時間を計測する放出量計測手段として動作するように構成する。また、ＣＰＵ３０が、式（１）又は式（２）を用いて算出した薬剤の放出量Ｙに応じて特定した時間に、図９に示すように累積放出時間が長くなるにつれて大きくなる補正係数のうちの計測した累積放出時間に対応する補正係数を乗算し、算出した時間だけヒーター１６ｄを通電させる。このような構成により、薬剤放出装置１６による芳香用薬剤の放出速度が遅くなった場合であっても、薬剤の放出時間を長くすることによって空気中の薬剤を適正な濃度にすることができる。
【図面の簡単な説明】
【００６９】
【図１】（ａ）は本発明に係る空気調和機の室内ユニットの外観斜視図、（ｂ）は縦断面図である。
【図２】冷媒循環回路の模式図である。
【図３】本発明に係る空気調和機の制御系の構成例を示すブロック図である。
【図４】暖房運転時における室内の温度変化を示すグラフである。
【図５】本発明に係る空気調和機による芳香用薬剤の放出処理の手順を示すフローチャートである。
【図６】ヒーター制御部によるヒーターへの通電処理を示すタイムチャートである。
【図７】ヒーター制御部によるヒーターへの通電処理の変形例を示すタイムチャートである。
【図８】芳香用薬剤の累積放出時間に対する放出速度の変化を示すグラフである。
【図９】芳香用薬剤の累積放出時間に対する補正係数の変化を示すグラフである。
【符号の説明】
【００７０】
１  室内ユニット
２  室外ユニット
３  空気調和機
１３  室内温度センサ（室内温度検出手段）
１６  薬剤放出装置（薬剤放出部）
２０  圧縮機
３０  ＣＰＵ（制御手段、駆動力検出手段、算出手段、温度変化算出手段）
３４  操作部(受付手段)
３６  室外温度センサ（室外温度検出手段）
３７  空調部
３８  ヒーター制御部
【図１】
2006125807.tif 000003
【図２】
2006125807.tif 000004
【図３】
2006125807.tif 000005
【図４】
2006125807.tif 000006
【図５】
2006125807.tif 000007
【図６】
2006125807.tif 000008
【図７】
2006125807.tif 000009
【図８】
2006125807.tif 000010
【図９】
2006125807.tif 000011